(57)【要約】      （修正有）【課題】ゴルフ競技中、簡単にゴルフ用マーカーを取り外して使用したり、装着して携帯することができ、また、身飾り品としての装飾効果を奏するペンダントトップを提供する。【解決手段】ゴルフ用のマーカー保持部付ペンダントトップＡは、一の面にゴルフ用マーカーを嵌合するため、凹陥部２が形成された保持部を有している。凹陥部２には磁石３が装着され、ゴルフ用マーカーと磁着するように構成されている。【選択図】図１
0003140912.tif 000002
【実用新案登録請求の範囲】
【請求項１】
ゴルフ用マーカーを脱着自在に保持する保持部が少なくとも１設けられていることを特徴とするゴルフ用マーカー保持部付ペンダントトップ
【請求項２】
前記保持部にはゴルフ用マーカーと嵌合する凹陥部が形成され、該凹陥部には磁石が装着されており、ゴルフ用マーカーを、磁石を介して遊嵌する構成であることを特徴とする請求項１記載のゴルフ用マーカー保持部付ペンダントトップ
【請求項３】
請求項２記載の凹陥部は、Ｕ字状に形成されており、該凹陥部の開口は、ゴルフ用マーカーの直径よりも大きいことを特徴とする請求項１又は２に記載のゴルフ用マーカー保持部付ペンダントトップ
【請求項４】
請求項２記載の凹陥部からなる保持部、及び請求項３記載のＵ字状の凹陥部からなる保持部の両方を有することを特徴とする請求項１記載のゴルフ用マーカー保持部付ペンダントトップ
【請求項５】
請求項１から請求項４のいずれかに記載のゴルフ用マーカー保持部付ペンダントトップにおいて、保持部にゴルフ用マーカーを装着した構成からなることを特徴とするゴルフ用マーカー付ペンダントトップ
【請求項６】
請求項１から請求項４のいずれかに記載のゴルフ用マーカー保持部付ペンダントトップ、又は請求項５に記載のゴルフ用マーカー付ペンダントトップにおいて、首に懸吊するための懸吊部材を装着した構成からなることを特徴とするゴルフ用マーカー保持部付ペンダント、又はゴルフ用マーカー付ペンダント
【考案の詳細な説明】
【技術分野】
【０００１】
本考案は、ゴルフ競技において、グリーン上でボールを取り上げる際に、代わりに目印として置いておくマーカーを保持するためのペンダントトップ又はペンダントに関する。
【背景技術】
【０００２】
従来、ゴルフ用マーカーは、競技者のポケットに入れたり、パターのグリップエンド（後端）の穴に挿着して携帯していた。
【０００３】
また、実開平５−１８５５８号公開実用新案公報に記載されたような装身具兼ゴルフ用具がある。すなわち、ゴルフ用マーカー本体にチェーンの挿通孔を設け、チェーンを該挿通孔に挿入して取り付けたものである。ゴルフ用マーカー使用時は、ゴルフ用マーカーを取り外して用いるように構成してある。
【考案の開示】
【考案が解決しようとする課題】
【０００４】
しかしながら、上記従来例において、ゴルフ用マーカーを競技者のポケットに入れて持ち歩く場合は、ポケットに入れた他のティーやフォークと混じって、取り出しにくい。また、パターのグリップエンド（後端）の穴に装着して携帯する場合は、ゴルフ用マーカーが脱落して紛失しやすいという欠点があった。
【０００５】
また、実開平５−１８５５８号公開実用新案公報に記載されたような装身具兼ゴルフ用具の場合、ゴルフ用マーカーを確実に保持できるものの、チェーンからゴルフ用マーカーを取り外すには、マーカーの挿通孔からチェーンを抜き取らなければならず、煩わしさに耐えないという欠点があった。
【課題を解決するための手段】
【０００６】
本発明は、（１）ゴルフ用マーカーを脱着自在に保持する保持部が少なくとも１設けられていることを特徴とするゴルフ用マーカー保持部付ペンダントトップ、（２）前記保持部にはゴルフ用マーカーと嵌合する凹陥部が形成され、該凹陥部には磁石が装着されており、ゴルフ用マーカーを、磁石を介して遊嵌する構成であることを特徴とする（１）記載のゴルフ用マーカー保持部付ペンダントトップ、（３）（２）記載の凹陥部は、Ｕ字状に形成されており、該凹陥部の開口は、ゴルフ用マーカーの直径よりも大きいことを特徴とする（１）又は（２）に記載のゴルフ用マーカー保持部付ペンダントトップ、（４）（２）記載の凹陥部からなる保持部、及び（３）記載のＵ字状の凹陥部からなる保持部の両方を有することを特徴とする（１）記載のゴルフ用マーカー保持部付ペンダントトップ、（５）（１）から（４）のいずれかに記載のゴルフ用マーカー保持部付ペンダントトップにおいて、保持部にゴルフ用マーカーを装着した構成からなることを特徴とするゴルフ用マーカー付ペンダントトップ、（６）（１）から（４）のいずれかに記載のゴルフ用マーカー保持部付ペンダントトップ、又は（５）に記載のゴルフ用マーカー付ペンダントトップにおいて、首に懸吊するための懸吊部材を装着した構成からなることを特徴とするゴルフ用マーカー保持部付ペンダント、又はゴルフ用マーカー付ペンダント、である。
【考案の効果】
【０００７】
本考案によれば、ペンダントトップに、ゴルフ用マーカーを脱着自在に保持する保持部を少なくとも１設けた構成にすることにより、ゴルフ競技中、簡単にゴルフ用マーカーを取り外して使用したり、装着して携帯することができる。また、身飾り品としての装飾効果を奏する。
【０００８】
前記保持部には凹陥部が形成され、該凹陥部に磁石が装着されており、ゴルフ用マーカーを、磁石を介して遊嵌する構成にすることにより、ペンダントトップからゴルフ用マーカーを容易に脱着することができる。また、ペンダントトップにゴルフ用マーカーが確実に保持され、ゴルフ競技中に、ゴルフ用マーカーが脱落して紛失する虞がない。
【０００９】
前記凹陥部をＵ字状に形成し、該凹陥部の開口をゴルフ用マーカーの直径よりも大きく構成することにより、凹陥部に遊嵌しているゴルフ用マーカーを摺動して、凹陥部の開口部分から片手で容易に取り外すことができ、また、装着することができる。
【考案を実施するための最良の形態】
【００１０】
以下、本考案を実施するための最良の形態を図面に基づいて説明する。
図１は、本考案の一実施例を示すゴルフ用マーカー保持部付ペンダントトップの一の面を斜視的にあらわしたものである。
この実施形態のゴルフ用マーカー保持部付ペンダントトップＡは、一の面にゴルフ用マーカーを嵌合するため、凹陥部２が形成された保持部を有している。該凹陥部２には磁石３が装着され、ゴルフ用マーカーと磁着するように構成されている。
【００１１】
ここで、磁石３は、競技者の競技中に、ゴルフ用マーカー保持部付ペンダントトップＡから脱落せず、且つ、グリーン上でゴルフ用マーカーを使用するときは、簡単に取り外しができる程度の磁力を有するものを用いる。例えば、金属磁石（アルニコ磁石、白金合成磁石等）、焼結磁石（フェライト磁石等）、可撓（プラスチック磁石、ゴム磁石等）等が挙げられる。
ゴルフ用マーカー保持部付ペンダントトップＡの材質は、金、銀、プラチナ等の貴金属、合成樹脂（プラスチック）その他の素材が用いられる。
【００１２】
図２は、本考案の一実施例を示すゴルフ用マーカー付ペンダントトップの一の面を斜視的にあらわしたものである。
この実施形態のゴルフ用マーカー付ペンダントトップＢは、図１のゴルフ用マーカー保持部付ペンダントトップＡの凹陥部２に、ゴルフ用マーカー４を装着して構成されている。ゴルフ用マーカー４は、ゴルフ用マーカー保持部付ペンダントトップＡに装着された磁石と磁力により、着脱自在に保持されている。
凹陥部２の内径は、ゴルフ用マーカー４の外径より小さく構成している。それにより、両者を遊嵌した場合、ゴルフ競技者は、遊び部分に指先を引っ掛けて、片手で容易に、ゴルフ用マーカー付ペンダントトップＢからゴルフ用マーカー４を取り外すことができる。
【００１３】
図１の実施例では、保持部として、凹陥部２を設けているが、ゴルフ用マーカーを脱着自在に保持できる他の手段を、本考案では用いることができる。例えば、ゴルフ用マーカー保持部付ペンダントトップの一の面を面一にして、その一部に磁石を装着して、ゴルフ用マーカーと持着するように構成する態様などが挙げられる。
【００１４】
図２の実施例では、凹陥部２にゴルフ用マーカー４全体を遊嵌させる構成であるが、ゴルフ用マーカー４の一部に凸部を設け、該凸部と凹陥部とを嵌合させる構成をとることもできる。
本考案のゴルフ用マーカー保持部付ペンダントトップＡとゴルフ用マーカー４の保持手段は、上述の磁着による方法に限られない。例えば、ゴルフ用マーカー保持部付ペンダントトップＡにクリップ等の挟持部材を設けて、ゴルフ用マーカーを挟持する手段等が挙げられる。
ゴルフ用マーカーの材質は、ゴルフ用マーカー保持部付ペンダントトップＡの凹陥部２に装着された磁石３と磁力により引き合う素材（金属など）が、少なくとも一部に用いられていれば、その他の部分は、合成樹脂（プラスチック）その他の素材を用いることができる。
【００１５】
図３は、本考案の一実施例を示すゴルフ用マーカー保持部付ペンダントトップの一の面を斜視的にあらわしたものである。
この実施形態のゴルフ用マーカー保持部付ペンダントトップＣは、保持部として設けられた凹陥部６が、Ｕ字状に形成されている。Ｕ字状の凹陥部の開口５は、ゴルフ用マーカーの直径よりも大きく設けられている。また、凹陥部６には磁石３が装着され、ゴルフ用マーカーと磁着するように構成されている。
【００１６】
図４は、本考案の一実施例を示すゴルフ用マーカー付ペンダントトップの一の面を斜視的にあらわしたものである。
この実施形態のゴルフ用マーカー付ペンダントトップＤは、図３のゴルフ用マーカー保持部付ペンダントトップＣの凹陥部６に、ゴルフ用マーカー４を装着して構成されている。ゴルフ用マーカー４は、ゴルフ用マーカー保持部付ペンダントトップＣに装着された磁石３と磁力により、着脱自在に保持されている。
【００１７】
次に、ゴルフ用マーカーを取り外す操作を説明する。
図５は、図４のゴルフ用マーカー付ペンダントトップＤからゴルフ用マーカー４を取り外す道程を示す説明図である。
図５（ａ）は、ゴルフ用マーカー保持部付ペンダントトップＣの凹陥部６に、ゴルフ用マーカー４を装着し、携帯するときの状態をあらわしている。図５（ｂ）は、ゴルフ用マーカー４を使用するため、親指の腹をゴルフ用マーカー４の表面側にあてがって、Ｕ字状の凹陥部の開口５方向へ、摺動させる様子をあらわす。図５（ｃ）は、ゴルフ用マーカー保持部付ペンダントトップＣから突出したゴルフ用マーカー４を、人差し指の腹をゴルフ用マーカー４の裏面側で摘んで、取り外す様子をあらわす。
以上の操作は、片手で行うことができ、簡単にゴルフ用マーカー付ペンダントトップＤからゴルフ用マーカー４を取り外すことができる。
【００１８】
ゴルフ用マーカー付ペンダントトップＤにゴルフ用マーカー４を取り付けるには、ゴルフ用マーカー４を、ゴルフ用マーカー付ペンダントトップＤに設けられた凹陥部６の磁石３に近づけるだけで、両者は磁力により引き合い装着される。
【００１９】
ゴルフ用マーカー保持部付ペンダントトップの他の実施例として、図１のゴルフ用マーカー保持部付ペンダントトップＡの裏面に図３のゴルフ用マーカー保持部付ペンダントトップＣのＵ字状の凹陥部６を設ける態様が挙げられる。この実施例によれば、ゴルフ用マーカー４を表裏両面に２枚取り付けることが可能であり、予備のゴルフ用マーカーを携帯することができる。
【００２０】
図６は、本考案の一実施例を示すゴルフ用マーカー付ペンダントをあらわしたものである。
ゴルフ用マーカー付ペンダントＥは、ゴルフ用マーカー付ペンダントトップＢに設けられた止め金具７に、ネックレス８を装着したものである。止め金具７は、環形状であり、環の中にネックレス８を挿通し、ゴルフ用マーカー付ペンダントトップＢをネックレス８に止め金具７を介して吊り下げて、ゴルフ用マーカー付ペンダントＥを構成する。
【００２１】
止め金具７は、本実施例の環形状の部材に限定されない。例えば、クリップ、ボタンなどでネックレス８と装着する手段が挙げられる。ネックレス８は、ゴルフ用マーカー付ペンダントトップＢを、首に吊り下げることができる部材であり、例えば、紐状、鎖状の部材が挙げられる。
【００２２】
本考案のペンダントトップ、ペンダント、ゴルフ用マーカーは、装身具としての用途も有する。そのため、ペンダントトップ、ペンダント、ゴルフ用マーカーの表面には、装飾を施すことができ、例えば、着色、彫刻、貴金属等の装飾部材の埋設等の手段が挙げられる。
また、その外径形状も、上記実施例に限られるものではなく、円形以外に、多角形（四角形、五角形等）、ハート形状等、その他の形状が挙げられる。
【図面の簡単な説明】
【００２３】
【図１】本考案の一実施例を示すゴルフ用マーカー保持部付ペンダントトップの一の面をあらわす斜視図である。
【図２】本考案の一実施例を示すゴルフ用マーカー付ペンダントトップの一の面をあらわす斜視図である。
【図３】本考案の一実施例を示すゴルフ用マーカー保持部付ペンダントトップの一の面をあらわす斜視図である。
【図４】本考案の一実施例を示すゴルフ用マーカー付ペンダントトップの一の面をあらわす斜視図である。
【図５】図４のゴルフ用マーカー付ペンダントトップからゴルフ用マーカーを取り外す道程を示す説明図である。
【図６】本考案の一実施例を示すゴルフ用マーカー付ペンダントを示す説明図である。
【符号の説明】
【００２４】
２  凹陥部
３  磁石
４  ゴルフ用マーカー
５  凹陥部の開口
６  凹陥部
７  止め金具
８  ネックレス
Ａ  ゴルフ用マーカー保持部付ペンダントトップ
Ｂ  ゴルフ用マーカー付ペンダントトップ
Ｃ  ゴルフ用マーカー保持部付ペンダントトップ
Ｄ  ゴルフ用マーカー付ペンダントトップ
Ｅ  ゴルフ用マーカー付ペンダント
【図１】
0003140912.tif 000003
【図２】
0003140912.tif 000004
【図３】
0003140912.tif 000005
【図４】
0003140912.tif 000006
【図５】
0003140912.tif 000007
【図６】
0003140912.tif 000008